(57)【要約】【課題】  ネットワークを介して接続された複数の検索機能を有する情報処理装置に対して情報検索を行なう場合、検索クエリと検索種別条件を指定し、検索種別条件を解析し、検索種別に対応する情報処理装置を判断することで、最小の呼び出しで複数検索種別の情報検索を行なうことができ、操作性が向上することを目的とする。【解決手段】  ネットワークを介して接続された複数の検索機能を有する情報処理装置であって、電子化情報を記憶する手段と、電子化情報の検索クエリを入力する手段と、検索種別条件を入力する手段と、検索種別条件から検索種別を解析する手段と、解析された検索種別に対応する情報処理装置を判断する手段と、判断された情報処理装置に記憶された電子化情報に対して入力された検索クエリにより検索を行なう手段と、情報検索に対する検索結果を出力する手段と、出力した検索結果を表示する手段から構成された情報処理装置である。【選択図】  図２
2007048062.tif 000002
【特許請求の範囲】
【請求項１】
ネットワークを介して接続された複数の検索機能を有する情報処理装置であって、電子的に作成された電子化情報を記憶する情報記憶手段と、前記情報記憶手段に記憶された電子化情報を検索するための検索クエリを入力する検索クエリ入力手段と、前記情報記憶手段に記憶された電子化情報を検索するための検索種別条件を入力する検索種別条件入力手段と、前記検索種別条件入力手段で入力された検索種別条件から検索種別を解析する検索種別解析手段と、前記検索種別解析手段で解析された検索種別に対応する情報処理装置を判断する検索種別判断手段と、前記検索種別判断手段で判断された情報処理装置の前記情報記憶手段に記憶された電子化情報に対して前記検索クエリ入力手段で入力された検索クエリにより検索を行なう情報検索手段と、前記情報検索手段による情報検索に対する検索結果を出力する検索結果出力手段と、前記検索結果出力手段が出力した検索結果を表示する検索結果表示手段とを備えることを特徴とする情報処理装置。
【請求項２】
前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別がメタデータ検索であることを特徴とする請求項１に記載の情報処理装置。
【請求項３】
前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別が全文検索であることを特徴とする請求項１に記載の情報処理装置。
【請求項４】
前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別が概念種別であることを特徴とする請求項１に記載の情報処理装置。
【請求項５】
前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別が画像検索であることを特徴とする請求項１に記載の情報処理装置。
【請求項６】
前記情報記憶手段に記憶された電子化情報を検索するための検索種別条件を入力する検索種別条件入力手段において、検索種別の条件が論理式であることを特徴とする請求項１に記載の情報処理装置。
【請求項７】
ネットワークを介して接続された複数の検索機能を有する情報処理装置であって、電子的に作成された電子化情報を記憶する情報記憶手段と、前記情報記憶手段に記憶された電子化情報を検索するための検索クエリを入力する検索クエリ入力手段と、前記検索クエリ入力手段で入力された検索クエリを解析する検索クエリ解析手段と、前記検索クエリ解析手段で解析された検索クエリと、検索種別を対応するための検索種別対応手段と、前記検索種別対応で対応された検索種別に対応する情報処理装置を判断する検索種別判断手段と、前記検索種別判断手段で判断された情報処理装置の前記情報記憶手段に記憶された電子化情報に対して前記検索クエリ入力手段で入力された検索クエリにより検索を行なう情報検索手段と、前記情報検索手段による情報検索に対する検索結果を出力する検索結果出力手段と、前記検索結果出力手段が出力した検索結果を表示する検索結果表示手段とを備えることを特徴とする情報処理装置。
【請求項８】
前記検索クエリ入力手段で入力された検索クエリを解析する検索クエリ解析手段と、前記検索クエリ解析手段で解析された検索クエリと、検索種別を対応するための検索種別対応手段において、検索クエリがテキスト情報である場合、対応する検索種別はメタデータ検索であることを特徴とする請求項７に記載の情報処理装置。
【請求項９】
前記検索クエリ入力手段で入力された検索クエリを解析する検索クエリ解析手段と、前記検索クエリ解析手段で解析された検索クエリと、検索種別を対応するための検索種別対応手段において、検索クエリがテキスト情報である場合、対応する検索種別は全文検索であることを特徴とする請求項７に記載の情報処理装置。
【請求項１０】
前記検索クエリ入力手段で入力された検索クエリを解析する検索クエリ解析手段と、前記検索クエリ解析手段で解析された検索クエリと、検索種別を対応するための検索種別対応手段において、検索クエリがテキスト情報である場合、対応する検索種別は概念検索であることを特徴とする請求項７に記載の情報処理装置。
【請求項１１】
前記検索クエリ入力手段で入力された検索クエリを解析する検索クエリ解析手段と、前記検索クエリ解析手段で解析された検索クエリと、検索種別を対応するための検索種別対応手段において、検索クエリがイメージ情報である場合、対応する検索種別は画像検索であることを特徴とする請求項７に記載の情報処理装置。
【請求項１２】
ネットワークを介して接続された複数の検索機能を有する情報処理方法であって、電子的に作成された電子化情報を記憶する情報記憶ステップと、前記情報記憶ステップに記憶された電子化情報を検索するための検索クエリを入力する検索クエリ入力ステップと、前記情報記憶ステップに記憶された電子化情報を検索するための検索種別条件を入力する検索種別条件入力ステップと、前記検索種別条件入力ステップで入力された検索種別条件から検索種別を解析する検索種別解析ステップと、前記検索種別解析ステップで解析された検索種別に対応する情報処理装置を判断する検索種別判断ステップと、前記検索種別判断ステップで判断された情報処理装置の前記情報記憶ステップに記憶された電子化情報に対して前記検索クエリ入力ステップで入力された検索クエリにより検索を行なう情報検索ステップと、前記情報検索ステップによる情報検索に対する検索結果を出力する検索結果出力ステップと、前記検索結果出力ステップが出力した検索結果を表示する検索結果表示ステップとを有することを特徴とする情報処理方法。
【請求項１３】
前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別がメタデータ検索であることを特徴とする請求項１２に記載の情報処理方法。
【請求項１４】
前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別が全文検索であることを特徴とする請求項１２に記載の情報処理方法。
【請求項１５】
前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別が概念種別であることを特徴とする請求項１２に記載の情報処理方法。
【請求項１６】
前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別が画像検索であることを特徴とする請求項１２に記載の情報処理方法。
【請求項１７】
前記情報記憶ステップに記憶された電子化情報を検索するための検索種別条件を入力する検索種別条件入力ステップにおいて、検索種別の条件が論理式であることを特徴とする請求項１２に記載の情報処理方法。
【請求項１８】
ネットワークを介して接続された複数の検索機能を有する情報処理方法であって、電子的に作成された電子化情報を記憶する情報記憶ステップと、前記情報記憶ステップに記憶された電子化情報を検索するための検索クエリを入力する検索クエリ入力ステップと、前記検索クエリ入力ステップで入力された検索クエリを解析する検索クエリ解析ステップと、前記検索クエリ解析ステップで解析された検索クエリと、検索種別を対応するための検索種別対応ステップと、前記検索種別対応で対応された検索種別に対応する情報処理装置を判断する検索種別判断ステップと、前記検索種別判断ステップで判断された情報処理装置の前記情報記憶ステップに記憶された電子化情報に対して前記検索クエリ入力ステップで入力された検索クエリにより検索を行なう情報検索ステップと、前記情報検索ステップによる情報検索に対する検索結果を出力する検索結果出力ステップと、前記検索結果出力ステップが出力した検索結果を表示する検索結果表示ステップとを有することを特徴とする情報処理方法。
【請求項１９】
前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがテキスト情報である場合、対応する検索種別はメタデータ検索であることを特徴とする請求項１８に記載の情報処理方法。
【請求項２０】
前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがテキスト情報である場合、対応する検索種別は全文検索であることを特徴とする請求項１８に記載の情報処理方法。
【請求項２１】
前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがテキスト情報である場合、対応する検索種別は概念検索であることを特徴とする請求項１８に記載の情報処理方法。
【請求項２２】
前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがイメージ情報である場合、対応する検索種別は画像検索であることを特徴とする請求項１８に記載の情報処理方法。
【請求項２３】
ネットワークを介して接続された複数の検索機能を有する情報処理装置に適用される情報処理方法のプログラムコードが格納されたコンピュータ可読記録媒体であって、電子的に作成された電子化情報を記憶する情報記憶ステップのプログラムコードと、前記情報記憶ステップのプログラムコードに記憶された電子化情報を検索するための検索クエリを入力する検索クエリ入力ステップのプログラムコードと、前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードと、前記検索種別解析ステップのプログラムコードで解析された検索種別に対応する情報処理装置を判断する検索種別判断ステップのプログラムコードと、前記検索種別判断ステップのプログラムコードで判断された情報処理装置の前記情報記憶ステップのプログラムコードに記憶された電子化情報に対して前記検索クエリ入力ステップのプログラムコードで入力された検索クエリにより検索を行なう情報検索ステップのプログラムコードと、前記情報検索ステップのプログラムコードによる情報検索に対する検索結果を出力する検索結果出力ステップのプログラムコードと、前記検索結果出力ステップのプログラムコードが出力した検索結果を表示する検索結果表示ステップのプログラムコードとを有することを特徴とするコンピュータ可読記録媒体。
【請求項２４】
前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別がメタデータ検索であることを特徴とする請求項２３に記載のコンピュータ可読記録媒体。
【請求項２５】
前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別が全文検索であることを特徴とする請求項２３に記載のコンピュータ可読記録媒体。
【請求項２６】
前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別が概念種別であることを特徴とする請求項２３に記載のコンピュータ可読記録媒体。
【請求項２７】
前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別が画像検索であることを特徴とする請求項２３に記載のコンピュータ可読記録媒体。
【請求項２８】
前記情報記憶ステップのプログラムコードに記憶された電子化情報を検索するための検索種別条件を入力する検索種別条件入力ステップのプログラムコードにおいて、検索種別の条件が論理式であることを特徴とする請求項２３に記載のコンピュータ可読記録媒体。
【請求項２９】
ネットワークを介して接続された複数の検索機能を有する情報処理装置に適用される情報処理方法のプログラムコードが格納されたコンピュータ可読記録媒体であって、電子的に作成された電子化情報を記憶する情報記憶ステップのプログラムコードと、前記情報記憶ステップのプログラムコードに記憶された電子化情報を検索するための検索クエリを入力する検索クエリ入力ステップのプログラムコードと、前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードと、前記検索種別対応で対応された検索種別に対応する情報処理装置を判断する検索種別判断ステップのプログラムコードと、前記検索種別判断ステップのプログラムコードで判断された情報処理装置の前記情報記憶ステップのプログラムコードに記憶された電子化情報に対して前記検索クエリ入力ステップのプログラムコードで入力された検索クエリにより検索を行なう情報検索ステップのプログラムコードと、前記情報検索ステップのプログラムコードによる情報検索に対する検索結果を出力する検索結果出力ステップのプログラムコードと、前記検索結果出力ステップのプログラムコードが出力した検索結果を表示する検索結果表示ステップのプログラムコードとを有することを特徴とするコンピュータ可読記録媒体。
【請求項３０】
前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがテキスト情報である場合、対応する検索種別はメタデータ検索であることを特徴とする請求項２９に記載のコンピュータ可読記録媒体。
【請求項３１】
前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがテキスト情報である場合、対応する検索種別は全文検索であることを特徴とする請求項２９に記載のコンピュータ可読記録媒体。
【請求項３２】
前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがテキスト情報である場合、対応する検索種別は概念検索であることを特徴とする請求項２９に記載のコンピュータ可読記録媒体。
【請求項３３】
前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがイメージ情報である場合、対応する検索種別は画像検索であることを特徴とする請求項２９に記載のコンピュータ可読記録媒体。
【発明の詳細な説明】
【技術分野】
【０００１】
本発明は、ネットワークを介して接続された複数の機器に蓄積された複数種別の情報に対して検索を行なう装置、その方法、記憶媒体に関するものである。
【背景技術】
【０００２】
コンピュータおよびネットワークの発達に伴ってネットワーク上に分散されたデータベース、パーソナルコンピュータのハードディスク等の記憶装置を含む情報処理装置への電子化情報の蓄積が進展しつつあり、それに伴ってネットワーク上に分散されたデータベース、パーソナルコンピュータのハードディスク等の記憶装置を含む情報処理装置の電子化情報に対する電子処理、例えば情報検索への期待が高まってきている。
【０００３】
このような情報検索技術においては、ネットワーク上に分散されたデータベース、パーソナルコンピュータのハードディスク等の記憶装置を含む情報処理装置に蓄積された複数種別の電子化情報に対する情報検索の技術が必要となっている。これまでにも、複数種別の電子化情報に対する情報検索の技術については、多数の提案がなされている。
【０００４】
従来、ネットワーク上に分散されたデータベース、パーソナルコンピュータのハードディスク等の記憶装置を含む情報処理装置に蓄積された複数種別の電子化情報に対する情報検索の技術としては、ネットワーク上に分散されたデータベース、パーソナルコンピュータのハードディスク等の記憶装置を含む情報処理装置に蓄積された電子化情報の種別を指定することが行なわれていた。
【０００５】
また、ネットワーク上に分散されたデータベース、パーソナルコンピュータのハードディスク等の記憶装置を含む情報処理装置に蓄積された電子化情報の種別を区別し、選択することで処理をしていた。
【０００６】
例えば、特開２００１−６０１６４においては、データの種別（日本語、英語の言語など）を区別し、種別の異なる複数のデータにアクセスすることが可能なデータ処理（検索、登録など）方法において、データの種別を選択し、データ処理を実行することが開示されている。
【特許文献１】特開２００１−０６０１６４号公報
【発明の開示】
【発明が解決しようとする課題】
【０００７】
しかしながら、上記のような従来技術の場合では、ネットワーク上に分散されたデータベース、パーソナルコンピュータのハードディスク等の記憶装置を含む情報処理装置に蓄積された複数種別の電子化情報に対する情報検索では、情報処理装置に蓄積された電子化情報の種別を管理し、検索を行なう場合は、各種別毎に検索を行なわなければならないという課題があった。すなわち、検索種別がｎ個ある場合は、ｎ回の呼び出しをする必要があるということであった。
【０００８】
本発明は、上記の従来技術の課題を解決するためになされたもので、その目的とするところは、ネットワーク上に分散されたデータベース、パーソナルコンピュータのハードディスク等の記憶装置を含む情報処理装置に蓄積された複数種別の電子化情報に対する情報検索を行なう場合、検索種別と論理式を指定することで、最小の呼び出しで複数種別の電子化情報の検索ができることである。
【０００９】
また、検索クエリを解析し、検索種別と対応させることで、最小限の指定で、しかも最小の呼び出しで複数種別の電子化情報の検索ができることである。
【課題を解決するための手段】
【００１０】
上記の目的を達成するために本発明による情報処理装置、情報処理方法および情報処理方法を記録した記憶媒体は以下の構成を備える。
【００１１】
即ち、ネットワークを介して接続された複数の検索機能を有する情報処理装置であって、電子的に作成された電子化情報を記憶する情報記憶手段と、前記情報記憶手段に記憶された電子化情報を検索するための検索クエリを入力する検索クエリ入力手段と、前記情報記憶手段に記憶された電子化情報を検索するための検索種別条件を入力する検索種別条件入力手段と、前記検索種別条件入力手段で入力された検索種別条件から検索種別を解析する検索種別解析手段と、前記検索種別解析手段で解析された検索種別に対応する情報処理装置を判断する検索種別判断手段と、前記検索種別判断手段で判断された情報処理装置の前記情報記憶手段に記憶された電子化情報に対して前記検索クエリ入力手段で入力された検索クエリにより検索を行なう情報検索手段と、前記情報検索手段による情報検索に対する検索結果を出力する検索結果出力手段と、前記検索結果出力手段が出力した検索結果を表示する検索結果表示手段とを備えることを特徴とする。
【００１２】
また、前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別がメタデータ検索であることを特徴とする。
【００１３】
また、前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別が全文検索であることを特徴とする。
【００１４】
また、前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別が概念種別であることを特徴とする。
【００１５】
また、前記情報記憶手段に記憶された電子化情報を検索するための検索種別条件を入力する検索種別条件入力手段と、前記検索種別条件入力手段で入力された検索種別条件から検索種別を解析する検索種別解析手段において、検索種別が画像検索であることを特徴とする。
【００１６】
また、前記情報記憶手段に記憶された電子化情報を検索するための検索種別条件を入力する検索種別条件入力手段において、検索種別の条件が論理式であることを特徴とする。
【００１７】
また、ネットワークを介して接続された複数の検索機能を有する情報処理装置であって、電子的に作成された電子化情報を記憶する情報記憶手段と、前記情報記憶手段に記憶された電子化情報を検索するための検索クエリを入力する検索クエリ入力手段と、前記検索クエリ入力手段で入力された検索クエリを解析する検索クエリ解析手段と、前記検索クエリ解析手段で解析された検索クエリと、検索種別を対応するための検索種別対応手段と、前記検索種別対応で対応された検索種別に対応する情報処理装置を判断する検索種別判断手段と、前記検索種別判断手段で判断された情報処理装置の前記情報記憶手段に記憶された電子化情報に対して前記検索クエリ入力手段で入力された検索クエリにより検索を行なう情報検索手段と、前記情報検索手段による情報検索に対する検索結果を出力する検索結果出力手段と、前記検索結果出力手段が出力した検索結果を表示する検索結果表示手段とを備えることを特徴とする。
【００１８】
また、前記検索クエリ入力手段で入力された検索クエリを解析する検索クエリ解析手段と、前記検索クエリ解析手段で解析された検索クエリと、検索種別を対応するための検索種別対応手段において、検索クエリがテキスト情報である場合、対応する検索種別はメタデータ検索であることを特徴とする。
【００１９】
また、前記検索クエリ入力手段で入力された検索クエリを解析する検索クエリ解析手段と、前記検索クエリ解析手段で解析された検索クエリと、検索種別を対応するための検索種別対応手段において、検索クエリがテキスト情報である場合、対応する検索種別は全文検索であることを特徴とする。
【００２０】
また、前記検索クエリ入力手段で入力された検索クエリを解析する検索クエリ解析手段と、前記検索クエリ解析手段で解析された検索クエリと、検索種別を対応するための検索種別対応手段において、検索クエリがテキスト情報である場合、対応する検索種別は概念検索であることを特徴とする。
【００２１】
また、前記検索クエリ入力手段で入力された検索クエリを解析する検索クエリ解析手段と、前記検索クエリ解析手段で解析された検索クエリと、検索種別を対応するための検索種別対応手段において、検索クエリがイメージ情報である場合、対応する検索種別は画像検索であることを特徴とする。
【００２２】
上記の目的を達成するために本発明による情報処理方法は以下の構成を備える。
【００２３】
即ち、ネットワークを介して接続された複数の検索機能を有する情報処理方法であって、電子的に作成された電子化情報を記憶する情報記憶ステップと、前記情報記憶ステップに記憶された電子化情報を検索するための検索クエリを入力する検索クエリ入力ステップと、前記情報記憶ステップに記憶された電子化情報を検索するための検索種別条件を入力する検索種別条件入力ステップと、前記検索種別条件入力ステップで入力された検索種別条件から検索種別を解析する検索種別解析ステップと、前記検索種別解析ステップで解析された検索種別に対応する情報処理装置を判断する検索種別判断ステップと、前記検索種別判断ステップで判断された情報処理装置の前記情報記憶ステップに記憶された電子化情報に対して前記検索クエリ入力ステップで入力された検索クエリにより検索を行なう情報検索ステップと、前記情報検索ステップによる情報検索に対する検索結果を出力する検索結果出力ステップと、前記検索結果出力ステップが出力した検索結果を表示する検索結果表示ステップとを有することを特徴とする。
【００２４】
また、前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別がメタデータ検索であることを特徴とする。
【００２５】
また、前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別が全文検索であることを特徴とする。
【００２６】
また、前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別が概念種別であることを特徴とする。
【００２７】
また、前記情報記憶ステップに記憶された電子化情報を検索するための検索種別条件を入力する検索種別条件入力ステップと、前記検索種別条件入力ステップで入力された検索種別条件から検索種別を解析する検索種別解析ステップにおいて、検索種別が画像検索であることを特徴とする。
【００２８】
また、前記情報記憶ステップに記憶された電子化情報を検索するための検索種別条件を入力する検索種別条件入力ステップにおいて、検索種別の条件が論理式であることを特徴とする。
【００２９】
また、ネットワークを介して接続された複数の検索機能を有する情報処理方法であって、電子的に作成された電子化情報を記憶する情報記憶ステップと、前記情報記憶ステップに記憶された電子化情報を検索するための検索クエリを入力する検索クエリ入力ステップと、前記検索クエリ入力ステップで入力された検索クエリを解析する検索クエリ解析ステップと、前記検索クエリ解析ステップで解析された検索クエリと、検索種別を対応するための検索種別対応ステップと、前記検索種別対応で対応された検索種別に対応する情報処理装置を判断する検索種別判断ステップと、前記検索種別判断ステップで判断された情報処理装置の前記情報記憶ステップに記憶された電子化情報に対して前記検索クエリ入力ステップで入力された検索クエリにより検索を行なう情報検索ステップと、前記情報検索ステップによる情報検索に対する検索結果を出力する検索結果出力ステップと、前記検索結果出力ステップが出力した検索結果を表示する検索結果表示ステップとを有することを特徴とする。
【００３０】
また、前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがテキスト情報である場合、対応する検索種別はメタデータ検索であることを特徴とする。
【００３１】
また、前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがテキスト情報である場合、対応する検索種別は全文検索であることを特徴とする。
【００３２】
また、前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがテキスト情報である場合、対応する検索種別は概念検索であることを特徴とする。
【００３３】
また、前記検索クエリ入力ステップで入力された検索クエリを解析する検索クエリ解析ステップと、前記検索クエリ解析ステップで解析された検索クエリと、検索種別を対応するための検索種別対応ステップにおいて、検索クエリがイメージ情報である場合、対応する検索種別は画像検索であることを特徴とする。
【００３４】
上記の目的を達成するために本発明による情報処理方法を記録した記憶媒体は以下の構成を備える。
【００３５】
即ち、ネットワークを介して接続された複数の検索機能を有する情報処理装置に適用される情報処理方法のプログラムコードが格納されたコンピュータ可読記録媒体であって、電子的に作成された電子化情報を記憶する情報記憶ステップのプログラムコードと、前記情報記憶ステップのプログラムコードに記憶された電子化情報を検索するための検索クエリを入力する検索クエリ入力ステップのプログラムコードと、前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードと、前記検索種別解析ステップのプログラムコードで解析された検索種別に対応する情報処理装置を判断する検索種別判断ステップのプログラムコードと、前記検索種別判断ステップのプログラムコードで判断された情報処理装置の前記情報記憶ステップのプログラムコードに記憶された電子化情報に対して前記検索クエリ入力ステップのプログラムコードで入力された検索クエリにより検索を行なう情報検索ステップのプログラムコードと、前記情報検索ステップのプログラムコードによる情報検索に対する検索結果を出力する検索結果出力ステップのプログラムコードと、前記検索結果出力ステップのプログラムコードが出力した検索結果を表示する検索結果表示ステップのプログラムコードとを有することを特徴とする。
【００３６】
また、前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別がメタデータ検索であることを特徴とする。
【００３７】
また、前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別が全文検索であることを特徴とする。
【００３８】
また、前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別が概念種別であることを特徴とする。
【００３９】
また、前記情報記憶ステップのプログラムコードに記憶された電子化情報を検索するための検索種別条件を入力する検索種別条件入力ステップのプログラムコードと、前記検索種別条件入力ステップのプログラムコードで入力された検索種別条件から検索種別を解析する検索種別解析ステップのプログラムコードにおいて、検索種別が画像検索であることを特徴とする。
【００４０】
また、前記情報記憶ステップのプログラムコードに記憶された電子化情報を検索するための検索種別条件を入力する検索種別条件入力ステップのプログラムコードにおいて、検索種別の条件が論理式であることを特徴とする。
【００４１】
また、ネットワークを介して接続された複数の検索機能を有する情報処理装置に適用される情報処理方法のプログラムコードが格納されたコンピュータ可読記録媒体であって、電子的に作成された電子化情報を記憶する情報記憶ステップのプログラムコードと、前記情報記憶ステップのプログラムコードに記憶された電子化情報を検索するための検索クエリを入力する検索クエリ入力ステップのプログラムコードと、前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードと、前記検索種別対応で対応された検索種別に対応する情報処理装置を判断する検索種別判断ステップのプログラムコードと、前記検索種別判断ステップのプログラムコードで判断された情報処理装置の前記情報記憶ステップのプログラムコードに記憶された電子化情報に対して前記検索クエリ入力ステップのプログラムコードで入力された検索クエリにより検索を行なう情報検索ステップのプログラムコードと、前記情報検索ステップのプログラムコードによる情報検索に対する検索結果を出力する検索結果出力ステップのプログラムコードと、前記検索結果出力ステップのプログラムコードが出力した検索結果を表示する検索結果表示ステップのプログラムコードとを有することを特徴とする。
【００４２】
また、前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがテキスト情報である場合、対応する検索種別はメタデータ検索であることを特徴とする。
【００４３】
また、前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがテキスト情報である場合、対応する検索種別は全文検索であることを特徴とする。
【００４４】
また、前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがテキスト情報である場合、対応する検索種別は概念検索であることを特徴とする。
【００４５】
また、前記検索クエリ入力ステップのプログラムコードで入力された検索クエリを解析する検索クエリ解析ステップのプログラムコードと、前記検索クエリ解析ステップのプログラムコードで解析された検索クエリと、検索種別を対応するための検索種別対応ステップのプログラムコードにおいて、検索クエリがイメージ情報である場合、対応する検索種別は画像検索であることを特徴とする。
【発明の効果】
【００４６】
以上説明したように、本発明によれば、ネットワーク上に分散されたデータベース、パーソナルコンピュータのハードディスク等の記憶装置を含む情報処理装置に蓄積された電子化情報に対する情報検索を行なう場合、検索種別と論理式を指定することで、最小の呼び出しで複数検索種別による電子化情報の検索ができ、操作を容易に行なうことができることである。
【００４７】
また、検索クエリを解析し、検索種別と対応させることで、最小限の指定で、しかも最小の呼び出しで複数検索種別による電子化情報の検索ができ、操作を容易に行なうことができることである。
【００４８】
また、検索クエリを解析し、対応する検索種別を変更できることで、特定の検索種別による電子化情報の検索ができ、検索の指定が容易にカスタマイズできることである。
【発明を実施するための最良の形態】
【００４９】
（第１の実施例）
以下に、図１から図１０を参照して、本発明の第１の実施例を説明する。
【００５０】
図１は本発明を適用した情報処理装置の構成を示すブロック図である。
【００５１】
図示の構成において、ＣＰＵはマイクロプロセッサであり、情報検索処理のための演算、論理判断等を行ない、バスを介してバスに接続された各構成要素を制御する。マイクロプロセッサＣＰＵが情報検索表示手段としても動作する。
【００５２】
ＢＵＳはバスであり、マイクロプロセッサＣＰＵの制御対象である各構成要素を指示するアドレス信号、コントロール信号を転送する。また、各構成要素間のデータ転送を行なう。
【００５３】
ＲＡＭは書込み可能なランダムアクセスメモリであって、各構成要素からの各種データの一次記憶に用いる。
【００５４】
ＲＯＭは読出し専用の固定メモリ（リードオンリメモリ）である。マイクロプロセッサＣＰＵによるブートプログラムを記憶する。ブートプログラムはシステム起動時にハードディスクに記憶された制御プログラムをランダムアクセスメモリＲＡＭにロードし、マイクロプロセッサＣＰＵに実行させる。制御プログラムについては、後にフローチャートを参照して詳述する。
【００５５】
入力装置はキーボード、およびマウス等である。
【００５６】
表示装置はＣＲＴ、あるいは液晶ディスプレイ等である。
【００５７】
ＨＤはハードディスクであり、マイクロプロセッサＣＰＵにより実行される制御プログラム、電子的に作成された電子化情報を記憶した情報データベース、情報検索を行なう際にインデックスとして使用される情報検索索引が格納される。
【００５８】
ネットワーク装置はネットワークコントローラである。ネットワーク回線を介して複数の情報処理装置とのデータ交換を行なう装置である。
【００５９】
リムーバブル外部記憶装置はフレキシブルディスクやＣＤ、ＤＶＤ等の外部記憶にアクセスするためのドライブ等である。上記ハードディスクＨＤと同様に使用でき、それらの記録媒体を通じて他の情報処理装置とのデータ交換を行なう装置である。なお、ハードディスクに記憶される制御プログラムは、これらの外部記憶装置から必要に応じてハードディスクＨＤにコピーすることもできる。
【００６０】
かかる各構成要素からなる本発明の情報処理装置においては、入力装置からの各種の入力に応じて作動するものであって、入力装置からの入力が供給されるとまずインタラプト信号がマイクロプロセッサＣＰＵに送られ、それに伴って、マイクロプロセッサＣＰＵがリードオンリメモリＲＯＭまたはランダムアクセスメモリＲＡＭ内に記憶される各種命令を読み出し、その実行によって各種の制御が行なわれる。
【００６１】
図２は本発明の第１の実施例の処理の流れを示す図である。
【００６２】
本発明の第１の実施例は電子化情報０１、情報記憶部０２、検索情報入力部０３、種別条件入力部０４、検索種別解析部０５、検索種別判断部０６、情報検索部０７、検索結果出力部０８、検索結果取得部０９から構成されている。
０１は電子化情報で、電子的に作成された電子化情報である。
【００６３】
０２は情報記憶部で、電子化情報０１を記憶するための情報データベースである。
【００６４】
０３は検索情報入力部で、情報記憶部０２に記憶された電子化情報０１を検索するための検索情報を入力する。
【００６５】
０４は種別条件入力部で、情報記憶部０２に記憶された電子化情報０１を検索するための検索種別条件を入力する。
【００６６】
０５は検索種別解析部で、種別条件入力部０４で入力された検索種別条件を解析する。
【００６７】
０６は検索種別判断部で、検索種別解析部０５で解析された検索種別に対応する情報処理装置を判断する。
【００６８】
０７は情報検索部で、検索種別判断部０６で判断された情報処理装置の情報記憶部０２に記憶された電子化情報０１に対して検索情報入力部０３で入力された検索情報により検索を行なう。
【００６９】
０８は検索結果出力部で、情報検索部０７による情報検索に対する検索結果を出力する。
【００７０】
０９は検索結果取得部で、検索結果出力部０８が出力した検索結果を取得する。
【００７１】
図３は本発明の第１の実施例の処理の流れを示すフローチャートである。
【００７２】
ステップＳ０１では、電子化情報０１を情報記憶部０２に記憶するか否かを判断し、情報記憶を行なう場合はステップＳ０２に処理を進める。また、情報記憶を行なわない場合はステップＳ０３に処理を進める。
【００７３】
ステップＳ０２では、電子化情報０１を情報記憶部０２に記憶する。例えば、図７のように電子化情報「日本経済．ｔｘｔ」を情報処理装置の情報記憶部である情報データベースに記憶する。その結果として、情報データベースに「日本経済．ｔｘｔ」が追加された。
【００７４】
ステップＳ０３では、情報記憶部０２に記憶された電子化情報０１に対して情報検索を行なうか否か判断し、情報検索を行なう場合はステップＳ０４に処理を進める。また、情報検索を行なわない場合はステップＳ１１に処理を進める。
【００７５】
ステップＳ０４では、情報記憶部０２に記憶された電子化情報０１に対して情報検索を行なうための検索情報を検索情報入力部０３から入力する。例えば、図８のように検索情報として検索キーワードを入力する。また、検索キーワードは単語、または文章が入力できる。ここでは検索キーワードとして「日本の経済」を入力する。
【００７６】
ステップＳ０５では、情報記憶部０２に記憶された電子化情報０１の対する検索のための検索種別条件を種別条件入力部０４から入力する。例えば、図８のように検索キーワードとして「日本の経済」が入力されている場合、検索キーワード「日本の経済」はすべてテキスト情報であり、検索可能な検索種別としてテキスト情報を対象とする「メタデータ検索」、「全文検索」および「概念検索」等が考えられる。そこで、論理式を用いて検索種別条件を作成する。ここでは論理演算子ＯＲ（論理和）を用いて、「メタデータ検索  ＯＲ  全文検索」の論理式を検索種別条件として入力する。
【００７７】
ステップＳ０６では、ステップＳ０５の種別条件入力部０４で入力された検索種別条件を検索種別解析部０５で解析する。例えば、図８のような検索種別条件が入力されている場合は、図９のような検索種別条件の論理式から各検索種別と、論理演算子を解析する。ここでは、検索種別条件の論理式「メタデータ検索  ＯＲ  全文検索」から検索種別として「メタデータ検索」と「全文検索」を、論理演算子として「ＯＲ」を解析する。
【００７８】
ステップＳ０７では、ステップＳ０６の検索種別解析部０５で解析された検索種別に対応する情報処理装置を検索種別判断０６で判断する。例えば、図９のように検索種別が「全文検索」と解析され、その検索種別「全文検索」に対応する情報処理装置が、図７の電子化情報「日本経済．ｔｘｔ」が記憶された情報記憶部である情報データベースが存在する情報処理装置とする。
【００７９】
ステップＳ０８では、ステップＳ０６で判断された情報処理装置の情報記憶部０２に記憶された電子化情報０１に対して、ステップＳ０４で入力された検索情報により情報検索部０６で検索する。例えば、図８の検索キーワード「日本の経済」の検索情報により、図７の電子化情報「日本経済．ｔｘｔ」が記憶された情報処理装置の情報記憶部である情報データベースを検索する。
【００８０】
ステップＳ０９では、ステップＳ０８の情報検索部０６による情報検索に対する検索結果を検索結果出力部０７で出力する。例えば、検索キーワード「日本の経済」の検索情報による、図７の情報処理装置の情報記憶部である情報データベースの情報検索に対する検索結果として「日本経済．ｔｘｔ」を出力する。
【００８１】
ステップＳ１０では、ステップＳ０９の検索結果出力部０７で出力された検索結果を検索結果取得部６で取得する。例えば、図８の検索キーワード「日本の経済」の検索情報による、図７の情報処理装置の情報記憶部である情報データベースの情報検索に対する検索結果として出力された「日本経済．ｔｘｔ」を取得する。
【００８２】
ステップＳ１１では、処理を終了するか否かを判断し、処理を続ける場合はステップＳ０１に処理を戻す。
【００８３】
なお、図３の本発明の第１の実施例の処理の流れを示すフローチャートは、ある情報処理装置が情報検索の要求を出し、該情報処理装置自身が情報検索を行ない、検索結果を出力する場合である。
【００８４】
図４は本発明の第１の実施例の情報処理装置のネットワーク構成を示す図である。
【００８５】
本ネットワーク構成図は、ネットワークを介して複数の情報処理装置が接続されている場合である。
【００８６】
なお、ネットワークを介して複数の情報処理装置が接続されている場合、情報検索の要求と検索結果の取得をする情報処理装置の処理と、情報検索の実行と検索結果の出力をする情報処理装置の処理とが必要になる。
【００８７】
図５は本発明の第１の実施例の情報検索の要求と検索結果の取得をする情報処理装置の処理の流れを示すフローチャートである。
【００８８】
ステップＳ２１では、ネットワークを介して接続された複数の情報処理装置の情報記憶部０２に記憶された電子化情報０１に対して情報検索を行なうか否か判断し、情報検索を行なう場合はステップＳ２２に処理を進める。また、情報検索を行なわない場合は処理を終了する。
【００８９】
ステップＳ２２では、情報記憶部０２に記憶された電子化情報０１に対して情報検索を行なうための検索情報を検索情報入力部０３から入力する。例えば、図８のように検索情報として検索キーワードを入力する。また、検索キーワードは単語、または文章が入力できる。ここでは検索キーワードとして「日本の経済」を入力する。
【００９０】
ステップＳ２３では、情報記憶部０２に記憶された電子化情報０１の対する検索のための検索種別条件を種別条件入力部０４から入力する。例えば、図８のように検索キーワードとして「日本の経済」が入力されている場合、検索キーワード「日本の経済」はすべてテキスト情報であり、検索可能な検索種別としてテキスト情報を対象とする「メタデータ検索」、「全文検索」および「概念検索」等が考えられる。そこで、論理式を用いて検索種別条件を作成する。ここでは論理演算子ＯＲ（論理和）を用いて、「メタデータ検索  ＯＲ  全文検索」の論理式を検索種別条件として入力する。
【００９１】
ステップＳ２４では、ステップＳ２３の種別条件入力部０４で入力された検索種別条件を検索種別解析部０５で解析する。例えば、図８のような検索種別条件が入力されている場合は、図９のような検索種別条件の論理式から各検索種別と、論理演算子を解析する。ここでは、検索種別条件の論理式「メタデータ検索  ＯＲ  全文検索」から検索種別として「メタデータ検索」と「全文検索」を、論理演算子として「ＯＲ」を解析する。
【００９２】
ステップＳ２５では、ステップＳ２４の検索種別解析部０５で解析された検索種別に対応する情報処理装置を検索種別判断０６で判断する。例えば、図９のように検索種別が「全文検索」と解析され、その検索種別「全文検索」に対応する情報処理装置が、図７の電子化情報「日本経済．ｔｘｔ」が記憶された情報記憶部である情報データベースが存在する情報処理装置とする。
【００９３】
ステップＳ２６では、ステップＳ２２の検索情報入力部０３で入力された検索情報を、ステップＳ２５で判断された検索種別に対応するネットワークを介して接続された複数の情報処理装置に対して情報検索の要求を行なう。
【００９４】
ステップＳ２７では、ネットワークを介して接続された複数の情報処理装置が出力する検索結果を検索結果取得部０９で取得する。例えば、図８の検索キーワード「日本の経済」の検索情報による、図７の情報処理装置の情報記憶部である情報データベースの情報検索に対する検索結果として出力された「日本経済．ｔｘｔ」を取得する。
【００９５】
ステップＳ２８では、ステップＳ２７の検索結果取得部０９で取得された検索結果を表示する。例えば、図４のようにネットワークを介して複数の情報処理装置が接続されている場合、図８のように検索情報「日本の経済」と、検索種別条件「メタデータ検索  ＯＲ  全文検索」を入力する。そして、図９のように検索種別条件「メタデータ検索  ＯＲ  全文検索」を検索種別「メタデータ検索」、「全文検索」と、論理演算子「ＯＲ」に解析する。そして、複数の検索種別に対応する複数の情報処理装置に情報検索を要求する。そして、ネットワークを介して接続された複数の情報処理装置が出力する検索結果を取得するときに、検索種別毎に検索結果を表示する。ここでは、図１０のように検索種別「メタデータ検索」に対応する検索結果「ＩＤ：ＰＣ００１＃００００１、タイトル：日本の経済」、「ＩＤ：ＰＣ０１０＃００１００、タイトル：日本の経済」および「全文検索」に対応する検索結果を「ＩＤ：ＰＣ１０１＃００００１、タイトル：日本経済、スコア：１００」、「ＩＤ：ＰＣ１１０＃０００１５、タイトル：日本社会、スコア：７０」、「ＩＤ：ＰＣ１２０＃０１２５０、タイトル：日本政治、スコア：５０」を検索種別毎に表示する。
【００９６】
その後、処理をステップＳ２１に戻す。
【００９７】
図６は本発明の第１の実施例の情報検索の実行と検索結果の出力をする情報処理装置の処理の流れを示すフローチャートである。
【００９８】
ステップＳ３１では、電子化情報０１を情報記憶部０２に記憶するか否かを判断し、情報記憶を行なう場合はステップＳ３２に処理を進める。また、情報記憶を行なわない場合はステップＳ３３に処理を進める。
【００９９】
ステップＳ３２では、電子化情報０１を情報記憶部０２に記憶する。例えば、図７のように電子化情報「日本経済．ｔｘｔ」を情報処理装置の情報記憶部である情報データベースに記憶する。その結果として、情報データベースに「日本経済．ｔｘｔ」が追加された。
【０１００】
ステップＳ３３では、情報記憶部０２に記憶された電子化情報０１２に対して、ネットワークを介して接続された情報処理装置から情報検索の要求があるか否か判断し、情報検索の要求がある場合はステップＳ３４に処理を進める。また、情報検索の要求がない場合はステップＳ３６に処理を進める。
【０１０１】
ステップＳ３４では、ネットワークを介して接続された情報処理装置から情報検索の要求により、情報記憶部０２に記憶された電子化情報０１を情報検索部０７で検索する。例えば、図８の検索キーワード「日本の経済」の情報検索の要求により、図７の電子化情報「日本経済．ｔｘｔ」が記憶された情報処理装置の情報記憶部である情報データベースを検索する。
【０１０２】
ステップＳ３５では、ステップＳ３４の情報検索部０７による情報検索に対する検索結果を検索結果出力０８で出力する。例えば、図８の検索キーワード「日本の経済」の情報検索の要求による、図７の情報処理装置の情報記憶部である情報データベースの情報検索に対する検索結果として「日本経済．ｔｘｔ」を出力する。
【０１０３】
ステップＳ３６では、処理を終了するか否かを判断し、処理を続ける場合はステップＳ３１に処理を戻す。
【０１０４】
図７は本発明の第１の実施例の情報処理装置の情報記憶部である情報データベースの一例である。例えば、電子化情報「日本経済．ｔｘｔ」を情報処理装置の情報記憶部である情報データベースに記憶する。その結果として、情報データベースに「日本経済．ｔｘｔ」が追加された場合である。
【０１０５】
図８は本発明の第１の実施例の情報検索を行なうための検索情報および検索種別条件の入力の一例である。例えば、検索情報として検索キーワードを入力する。また、検索キーワードは単語、または文章が入力できる。ここでは検索キーワードとして「日本の経済」を入力する場合である。また、検索キーワードとして「日本の経済」が入力されている場合、検索キーワード「日本の経済」はすべてテキスト情報であり、検索可能な検索種別としてテキスト情報を対象とする「メタデータ検索」、「全文検索」および「概念検索」等が考えられる。そこで、論理式を用いて検索種別条件を作成する。ここでは論理演算子ＯＲ（論理和）を用いて、「メタデータ検索  ＯＲ  全文検索」の論理式を検索種別条件として入力する場合である。
【０１０６】
図９は本発明の第１の実施例の検索種別条件を解析する方法の一例である。例えば、検索種別条件の論理式から各検索種別と、論理演算子を解析する。ここでは、検索種別条件の論理式「メタデータ検索  ＯＲ  全文検索」から検索種別として「メタデータ検索」と「全文検索」を、論理演算子として「ＯＲ」を解析する場合である。
【０１０７】
図１０は本発明の第１の実施例のネットワークを介して接続された複数の情報処理装置での検索結果の表示の一例である。例えば、ネットワークを介して接続された複数の情報処理装置が出力する検索結果を取得するときに、検索種別毎に検索結果を表示する。ここでは、検索種別「メタデータ検索」に対応する検索結果「ＩＤ：ＰＣ００１＃００００１、タイトル：日本の経済」、「ＩＤ：ＰＣ０１０＃００１００、タイトル：日本の経済」および「全文検索」に対応する検索結果を「ＩＤ：ＰＣ１０１＃００００１、タイトル：日本経済、スコア：１００」、「ＩＤ：ＰＣ１１０＃０００１５、タイトル：日本社会、スコア：７０」、「ＩＤ：ＰＣ１２０＃０１２５０、タイトル：日本政治、スコア：５０」を検索種別毎に表示する。
【０１０８】
（第２の実施例）
本発明を適用した情報処理装置の構成を示すブロック図は、本発明の第１の実施例の図１と同じである。
【０１０９】
以下に、図１１から図１５を参照して、本発明の第２の実施例を説明する。
【０１１０】
図１１は本発明の第２の実施例の処理の流れを示す図である。
【０１１１】
本発明の第２の実施例は電子化情報１０１、情報記憶部１０２、検索情報入力部１０３、検索情報解析部１０４、検索種別対応部１０５、検索種別判断部１０６、情報検索部１０７、検索結果出力部１０８、検索結果取得部１０９から構成されている。
【０１１２】
１０１は電子化情報で、電子的に作成された電子化情報である。
【０１１３】
１０２は情報記憶部で、電子化情報１０１を記憶するための情報データベースである。
【０１１４】
１０３は検索情報入力部で、情報記憶部１０２に記憶された電子化情報１０１を検索するための検索情報を入力する。
【０１１５】
１０４は検索情報解析部で、検索情報入力部１０３で入力された検索情報を解析する。
【０１１６】
１０５は検索種別対応部で、検索情報解析部１０４で解析された検索情報と、検索種別を対応する。
【０１１７】
１０６は検索種別判断部で、検索種別対応部１０５で対応された検索種別に対応する情報処理装置を判断する。
【０１１８】
１０７は情報検索部で、検索種別判断部１０６で判断された情報処理装置の情報記憶部１０２に記憶された電子化情報１０１に対して検索情報入力部１０３で入力された検索情報により検索を行なう。
【０１１９】
１０８は検索結果出力部で、情報検索部１０７による情報検索に対する検索結果を出力する。
【０１２０】
１０９は検索結果取得部で、検索結果出力部１０８が出力した検索結果を取得する。
【０１２１】
図１２は本発明の第２の実施例の処理の流れを示すフローチャートである。
【０１２２】
ステップＳ１０１では、電子化情報１０１を情報記憶部１０２に記憶するか否かを判断し、情報記憶を行なう場合はステップＳ１０２に処理を進める。また、情報記憶を行なわない場合はステップＳ１０３に処理を進める。
【０１２３】
ステップＳ１０２では、電子化情報１０１を情報記憶部１０２に記憶する。例えば、図７のように電子化情報「日本経済．ｔｘｔ」を情報処理装置の情報記憶部である情報データベースに記憶する。その結果として、情報データベースに「日本経済．ｔｘｔ」が追加された。
【０１２４】
ステップＳ１０３では、情報記憶部１０２に記憶された電子化情報１０１に対して情報検索を行なうか否か判断し、情報検索を行なう場合はステップＳ１０４に処理を進める。また、情報検索を行なわない場合はステップＳ１１１に処理を進める。
【０１２５】
ステップＳ１０４では、情報記憶部１０２に記憶された電子化情報１０１に対して情報検索を行なうための検索情報を検索情報入力部１０３から入力する。例えば、図１４のように検索情報として検索キーワードを入力する。また、検索キーワードは単語、または文章が入力できる。ここでは検索キーワードとして「日本の経済」を入力する。
【０１２６】
ステップＳ１０５では、ステップＳ１０４の検索情報入力部１０３で入力された検索情報を検索情報解析部１０４で解析する。例えば、図１４のように検索キーワードとして「日本の経済」が入力されている場合、検索キーワード「日本の経済」はすべてテキストであり、しかも画像を示す拡張子が付いていないので、「テキスト情報」と解析する。
【０１２７】
また、画像を示す拡張子、例えば「．ｂｍｐ」、「．ｊｐｇ」、「．ｔｉｆ」などが付いていた場合は「イメージ情報」と解析する。
【０１２８】
ステップＳ１０６では、ステップＳ１０５の検索情報解析部１０４で解析された検索情報と、検索種別を検索種別対応部１０５で対応する。例えば、検索情報解析部１０４で解析された検索情報が「テキスト情報」と解析された場合、図１５のような検索種別対応表から「メタデータ検索」、「全文検索」、「概念検索」を検索種別と対応する。
【０１２９】
また、「テキスト情報」と解析された場合は、図１５の検索種別対応表から「画像検索」、「オブジェクト検索」と対応する。
【０１３０】
ステップＳ１０７では、ステップＳ１０６の検索種別対応部１０５で対応された検索種別に対応する情報処理装置を検索種別判断部１０６で判断する。例えば、図１５のように検索種別対応表から検索種別が「全文検索」と対応され、その検索種別「全文検索」に対応する情報処理装置が、図７の電子化情報「日本経済．ｔｘｔ」が記憶された情報記憶部である情報データベースが存在する情報処理装置とする。
【０１３１】
ステップＳ１０８では、ステップＳ１０６で判断された情報処理装置の情報記憶部１０２に記憶された電子化情報１０１に対して、ステップＳ１０４で入力された検索情報により情報検索部１０６で検索する。例えば、図１４の検索キーワード「日本の経済」の検索情報により、図７の電子化情報「日本経済．ｔｘｔ」が記憶された情報処理装置の情報記憶部である情報データベースを検索する。
【０１３２】
ステップＳ１０９では、ステップＳ１０８の情報検索部１０６による情報検索に対する検索結果を検索結果出力部１０７で出力する。例えば、検索キーワード「日本の経済」の検索情報による、図７の情報処理装置の情報記憶部である情報データベースの情報検索に対する検索結果として「日本経済．ｔｘｔ」を出力する。
【０１３３】
ステップＳ１１０では、ステップＳ１０９の検索結果出力部１０７で出力された検索結果を検索結果取得部１０６で取得する。例えば、図１４の検索キーワード「日本の経済」の検索情報による、図７の情報処理装置の情報記憶部である情報データベースの情報検索に対する検索結果として出力された「日本経済．ｔｘｔ」を取得する。
【０１３４】
ステップＳ１１１では、処理を終了するか否かを判断し、処理を続ける場合はステップＳ１０１に処理を戻す。
【０１３５】
なお、本発明の第２の実施例の情報処理装置の情報記憶部である情報データベースの一例は、本発明の第１の実施例の図７と同じである。
【０１３６】
また、図１２の本発明の第２の実施例の処理の流れを示すフローチャートは、ある情報処理装置が情報検索の要求を出し、該情報処理装置自身が情報検索を行ない、検索結果を出力する場合である。
【０１３７】
本発明の第２の実施例の情報処理装置のネットワーク構成を示す図は、本発明の第１の実施例の図４と同じである。
【０１３８】
なお、ネットワークを介して複数の情報処理装置が接続されている場合、情報検索の要求と検索結果の取得をする情報処理装置の処理と、情報検索の実行と検索結果の出力をする情報処理装置の処理とが必要になる。
【０１３９】
図１３は本発明の第２の実施例の情報検索の要求と検索結果の取得をする情報処理装置の処理の流れを示すフローチャートである。
【０１４０】
ステップＳ１２１では、ネットワークを介して接続された複数の情報処理装置の情報記憶部１０２に記憶された電子化情報１０１に対して情報検索を行なうか否か判断し、情報検索を行なう場合はステップＳ１２２に処理を進める。また、情報検索を行なわない場合は処理を終了する。
【０１４１】
ステップＳ１２２では、情報記憶部１０２に記憶された電子化情報１０１に対して情報検索を行なうための検索情報を検索情報入力部１０３から入力する。例えば、図１４のように検索情報として検索キーワードを入力する。また、検索キーワードは単語、または文章が入力できる。ここでは検索キーワードとして「日本の経済」を入力する。
【０１４２】
ステップＳ１２３では、ステップＳ１２２の検索情報入力部１０３で入力された検索情報を検索情報解析部１０４で解析する。例えば、図１４のように検索キーワードとして「日本の経済」が入力されている場合、検索キーワード「日本の経済」はすべてテキストであり、しかも画像を示す拡張子が付いていないので、「テキスト情報」と解析する。
【０１４３】
また、画像を示す拡張子、例えば「．ｂｍｐ」、「．ｊｐｇ」、「．ｔｉｆ」などが付いていた場合は「イメージ情報」と解析する。
【０１４４】
ステップＳ１２４では、ステップＳ１２３の検索情報解析部１０４で解析された検索情報と、検索種別を検索種別対応部１０５で対応する。例えば、検索情報解析部１０４で解析された検索情報が「テキスト情報」と解析された場合、図１５のような検索種別対応表から「メタデータ検索」、「全文検索」、「概念検索」を検索種別と対応する。
【０１４５】
また、「テキスト情報」と解析された場合は、図１５の検索種別対応表から「画像検索」、「オブジェクト検索」と対応する。
【０１４６】
ステップＳ１２５では、ステップＳ１２４の検索種別対応部１０５で対応された検索種別に対応する情報処理装置を検索種別判断部１０６で判断する。例えば、図１５のように検索種別対応表から検索種別が「全文検索」と対応され、その検索種別「全文検索」に対応する情報処理装置が、図７の電子化情報「日本経済．ｔｘｔ」が記憶された情報記憶部である情報データベースが存在する情報処理装置とする。
【０１４７】
ステップＳ１２６では、ステップＳ１２２の検索情報入力部１０３で入力された検索情報を、ステップＳ１２５で判断された検索種別に対応するネットワークを介して接続された複数の情報処理装置に対して情報検索の要求を行なう。
【０１４８】
ステップＳ１２７では、ネットワークを介して接続された複数の情報処理装置が出力する検索結果を検索結果取得部１０９で取得する。例えば、図１４の検索キーワード「日本の経済」の検索情報による、図７の情報処理装置の情報記憶部である情報データベースの情報検索に対する検索結果として出力された「日本経済．ｔｘｔ」を取得する。
【０１４９】
ステップＳ１２８では、ステップＳ１２７の検索結果取得部１０９で取得された検索結果を表示する。例えば、図４のようにネットワークを介して複数の情報処理装置が接続されている場合、図１４のように検索情報「日本の経済」を入力する。そして、検索情報「日本の経済」から「テキスト情報」と解析する。そして、図１５のような検索種別対応表から「テキスト情報」に対応する検索種別「メタデータ検索」、「全文検索」、「概念検索」を取得する。そして、複数の検索種別「メタデータ検索」、「全文検索」、「概念検索」に対応する複数の情報処理装置に情報検索を要求する。そして、ネットワークを介して接続された複数の情報処理装置が出力する検索結果を取得するときに、検索種別毎に検索結果を表示する。ここでは、図１０のように検索種別「メタデータ検索」に対応する検索結果「ＩＤ：ＰＣ００１＃００００１、タイトル：日本の経済」、「ＩＤ：ＰＣ０１０＃００１００、タイトル：日本の経済」および「全文検索」に対応する検索結果を「ＩＤ：ＰＣ１０１＃００００１、タイトル：日本経済、スコア：１００」、「ＩＤ：ＰＣ１１０＃０００１５、タイトル：日本社会、スコア：７０」、「ＩＤ：ＰＣ１２０＃０１２５０、タイトル：日本政治、スコア：５０」を検索種別毎に表示する。
【０１５０】
その後、処理をステップＳ２１に戻す。
【０１５１】
なお、本発明の第２の実施例のネットワークを介して接続された複数の情報処理装置での検索結果の表示の一例は、本発明の第１の実施例の図１０と同じである。
【０１５２】
本発明の第２の実施例の情報検索の実行と検索結果の出力をする情報処理装置の処理の流れを示すフローチャートは、本発明の第１の実施例の図６と同じである。
【０１５３】
図１４は本発明の第２の実施例の情報検索を行なうための検索情報の入力の一例である。例えば、検索情報として検索キーワードを入力する。また、検索キーワードは単語、または文章が入力できる。ここでは検索キーワードとして「日本の経済」を入力する場合である。
【０１５４】
図１５は本発明の第２の実施例の検索種別対応表の一例である。例えば、検索情報分類「テキスト情報」に対応する検索種別として「メタデータ検索」、「全文検索」、「概念検索」の場合である。また、検索情報分類「テキスト情報」に対応する検索種別として「画像検索」、「オブジェクト検索」の場合である。
【図面の簡単な説明】
【０１５５】
【図１】本発明の第１および第２の実施例の本発明を適用した情報処理装置の構成を示すブロック図である。
【図２】本発明の第１の実施例の処理の流れを示す図である。
【図３】本発明の第１の実施例の処理の流れを示すフローチャートである。
【図４】本発明の第１および第２の実施例の情報処理装置のネットワーク構成を示す図である。
【図５】本発明の第１の実施例の情報検索の要求と検索結果の取得をする情報処理装置の処理の流れを示すフローチャートである。
【図６】本発明の第１および第２の実施例の情報検索の実行と検索結果の出力をする情報処理装置の処理の流れを示すフローチャートである。
【図７】本発明の第１および第２の実施例の情報処理装置の情報記憶部である情報データベースの一例である。
【図８】本発明の第１の実施例の情報検索を行なうための検索情報および検索種別条件の入力の一例である。
【図９】本発明の第１の実施例の検索種別条件を解析する方法の一例である。
【図１０】本発明の第１および第２の実施例のネットワークを介して接続された複数の情報処理装置での検索結果の表示の一例である。
【図１１】本発明の第２の実施例の処理の流れを示す図である。
【図１２】本発明の第２の実施例の処理の流れを示すフローチャートである。
【図１３】本発明の第２の実施例の情報検索の要求と検索結果の取得をする情報処理装置の処理の流れを示すフローチャートである。
【図１４】本発明の第２の実施例の情報検索を行なうための検索情報の入力の一例である。
【図１５】本発明の第２の実施例の検索種別対応表の一例である。
【符号の説明】
【０１５６】
０１  電子化情報
０２  情報記憶部
０３  検索情報入力部
０４  種別条件入力部
０５  検索種別解析部
０６  検索種別判断部
０７  情報検索部
０８  検索結果出力部
０９  検索結果取得部
１０１  電子化情報
１０２  情報記憶部
１０３  検索情報入力部
１０４  検索情報解析部
１０５  検索種別対応部
１０６  検索種別判断部
１０７  情報検索部
１０８  検索結果出力部
１０９  検索結果取得部
【図１】
2007048062.tif 000003
【図２】
2007048062.tif 000004
【図３】
2007048062.tif 000005
【図４】
2007048062.tif 000006
【図５】
2007048062.tif 000007
【図６】
2007048062.tif 000008
【図７】
2007048062.tif 000009
【図８】
2007048062.tif 000010
【図９】
2007048062.tif 000011
【図１０】
2007048062.tif 000012
【図１１】
2007048062.tif 000013
【図１２】
2007048062.tif 000014
【図１３】
2007048062.tif 000015
【図１４】
2007048062.tif 000016
【図１５】
2007048062.tif 000017